(57)【要約】【課題】  例えば海外の方であっても、胸のホールドの安定感を感じてもらいつつ着ることが容易なものであって、襟抜きも綺麗に行えてそれを維持できる着物用下着を提供する。【解決手段】  スポーツ用ブラジャーの形をした着物用下着１は、伸縮性がある生地で作られた本体３と、本体３に取り付けられた長襦袢の襟の胸元までのものに対応する襟部分５とを備え、襟部分５は、長方形の形状から長辺の一辺側の折り込みをして作られる形をしているものであって、襟首位置に相当する中央位置の幅を狭くして胸元の襟先に相当する両先端に向かって幅を広げる折り込みをして作られる形をしていることを特徴としている。【選択図】  図１
2018193652.tif 000002
【特許請求の範囲】
【請求項１】
着物であって、
スポーツ用ブラジャーの形をして長襦袢の襟の胸元までのものに対応する襟部分が着た際に襟抜きが行われる位置関係で取付られた着物用下着と、
前記着物用下着に向かって延びる伸縮自在の腹巻部分を有する洋服のスカートの形態を利用した着物の下部分と、
前記着物用下着と前記腹巻部分の上に着る洋服のジャケットの形態を利用した着物の上部分とを備えた、着物。
【請求項２】
前記着物用下着は、
伸縮性がある生地で作られた本体と、
前記本体に取り付けられた長襦袢の襟の胸元までのものに対応する襟部分とを備え、
前記襟部分は、長方形の形状から長辺の一辺側の折り込みをして作られる形をしているものであって、襟首位置に相当する中央位置の幅を狭くして胸元の襟先に相当する両先端に向かって幅を広げる折り込みをして作られる形をしていることを特徴とし、さらに、襟首側が固定され、襟元側の両端部がクロスして着脱自在であるとともにクロス状態を調整可能なことを特徴とする、請求項１記載の着物
【請求項３】
前記腹巻部分の上であって前記着物の上部分の上からベルトタイプで締める作り帯を備えた、請求項１又は２記載の着物。
【請求項４】
スポーツ用ブラジャーの形をした着物用下着であって、
伸縮性がある生地で作られた本体と、
前記本体に取り付けられた長襦袢の襟の胸元までのものに対応する襟部分とを備え、
前記襟部分は、長方形の形状から長辺の一辺側の折り込みをして作られる形をしているものであって、襟首位置に相当する中央位置の幅を狭くして胸元の襟先に相当する両先端に向かって幅を広げる折り込みをして作られる形をしていることを特徴とする、着物用下着。
【請求項５】
前記襟部分は、襟首側が固定され、襟先側の両端部がクロスして着脱自在であるとともにクロス状態を調整可能なことを特徴とする、請求項４記載の着物用下着。
【発明の詳細な説明】
【技術分野】
【０００１】
本発明は、着物及び着物用下着に関し、特に、着ることを容易にしつつも、襟抜きも行われるようにした着物用下着及びそれを用いる着物に関する。
【背景技術】
【０００２】
着付けを容易にするものは種々提案されており、例えば、襟抜きに工夫したものとして、特許文献１がある。この技術は、両端に第１の接合部材が設けられた襟ベルト部材と、該襟ベルト部材と略平行して配置され、その両端が接続可能に構成された上半身ベルト部材と、前記襟ベルト部材の略中央及び前記上半身ベルト部材の略中央と接続された縦部材と、前記上半身ベルト部材の少なくとも一方の端部に設けられ、前記第１の接合部材と接続可能に構成された第２の接合部材と、前記第１の接合部材と前記第２の接合部材を接合して形成される環状の前記襟ベルト部材に外周に沿う開口領域を有する身頃部を備えるものとされている。
【０００３】
一方、上記と異なり、長襦袢の襟部分を設けた下着についても、例えば、特許文献２、３がある。特許文献２の技術は、Ｔシャツ形式で、襟先の重ね合わせ部分がＶ字形状になるように形成され、重ね合わせ部分が面ファスナーで脱着可能になっているものとされている。特許文献３の技術は、和装ブラジャーに長襦袢の半襟部分を全て縫い付けたものである。
【先行技術文献】
【特許文献】
【０００４】
【特許文献１】特許第５６３０７５５号公報
【特許文献２】特許第６０５４５６１号公報
【特許文献３】実用新案登録第３１１１４３２号公報
【発明の概要】
【発明が解決しようとする課題】
【０００５】
しかしながら、特許文献１の技術では、長襦袢が下着の役割があることから、単にインナー（下着）と襟部分とに分けて捉えており、特許文献１の図７に示すように、Ｔシャツのようなインナー（下着）を着た上で、上記の第１の接合部材が設けられた襟ベルト部材、上半身ベルト部材、縦部材、及び、第２の接合部材を有するベルトが装着される必要があり、インナー（下着）とベルトの装着という２回の手間がかかるという問題がある。また、Ｔシャツ形式のインナー(下着)では、胸をホールドする安定感が不十分という問題がある。特に、海外の方にとっては、この点は重要であり、それを補おうとすると、Ｔシャツの下にブラジャーを装着する必要があり、或いは、Ｔシャツに替えてブラジャーを装着する必要があり、いずれにしても、２回或いは３回の手間がかかるという問題がある。さらに、襟抜きを行うために、ベルトが上記のように複雑な構成となっているという問題があり、装着が複雑という問題がある。
【０００６】
一方、特許文献２の技術でも、Ｔシャツ形式の下着のため、上記と同様に、胸をホールドする安定感は不十分になってしまうという問題がある。すなわち、ここでも、特に海外の方については、上記と同様な問題が起こる。さらに、胸元にある襟先の重ね合わせ部分がＶ字形状になるように形成され、重ね合わせ部分が面ファスナーで脱着可能になっているが、襟を幾層にも重ね合わせることを前提にしたものであることから、首を入れる際のゆとりを考慮したものにすぎず、首を入れた後に所定の位置に固定するためにすぎないものである。そのため、着物であれば生じる長襦袢の胸元の襟の若干の緩み（遊び）は全く生じないものとなっており、着物の襟抜きと同様に美しいと言われる点が表現されず、粋なものではないものになっている。
【０００７】
また、特許文献３の技術では、和装ブラジャーに長襦袢の半襟部分を全て縫い付けたものであることから、上記と同様に、胸をホールドする安定感は不十分になってしまうという問題がある。すなわち、ここでも、特に海外の方については、上記と同様な問題が起こる。さらに、長襦袢の半襟部分を単に全て縫い付けても襟抜きは容易ではなく、特許文献１に記載の技術のようななんらかの工夫が必要であり、特許文献３の技術では襟抜きができるとは言えない技術である。さらに、襟の位置は固定されており、着る人間に対応して胸元の襟の位置等の状態を調整できるものではなく、胸元の襟の状態（重なる位置と角度、緩み（遊び）等）を綺麗にできるかについて大きな疑問があるものと言える。
【０００８】
ゆえに、本発明は、例えば海外の方であっても、胸のホールドの安定感を感じてもらいつつ着ることが容易なものであって、襟抜きも綺麗に行えてそれを維持できる着物用下着を提供することを第１の目的とする。また、本発明は、胸元の襟の状態（重なる位置と角度、緩み（遊び）等）を表現可能な着物用下着を提供することを第２の目的とする。さらに、本発明は、その着物用下着を用いつつ、さらに全体としても、洋服を着るように簡単に着ることができる着物を提供することを第３の目的とする。
【課題を解決するための手段】
【０００９】
本発明の第１の観点は、着物であって、スポーツ用ブラジャーの形をして長襦袢の襟の胸元までのものに対応する襟部分が着た際に襟抜きが行われる位置関係で取付られた着物用下着と、前記着物用下着に向かって延びる伸縮自在の腹巻部分を有する洋服のスカートの形態を利用した着物の下部分と、
前記着物用下着と前記腹巻部分の上に着る洋服のジャケットの形態を利用した着物の上部分とを備えたものである。
【００１０】
本発明の第２の観点は、第１の観点において、前記着物用下着は、伸縮性がある生地で作られた本体と、前記本体に取り付けられた長襦袢の襟の胸元までのものに対応する襟部分とを備え、前記襟部分は、長方形の形状から長辺の一辺側の折り込みをして作られる形をしているものであって、襟首位置に相当する中央位置の幅を狭くして胸元の襟先に相当する両先端に向かって幅を広げる折り込みをして作られる形をしていることを特徴とし、さらに、襟首側が固定され、襟元側の両端部がクロスして着脱自在であるとともにクロス状態を調整可能なことを特徴とする、ものである。ここで、クロスは、十字に限らず、調整の結果、Ｔ字やＶ字になってしまう場合も含まれるものとする。すなわち、最も、胸元を狭くきつく調整した場合に十字になるものであればクロスするものという概念に含めるものとする。
【００１１】
本発明の第３の観点は、第１又は第２の観点において、前記腹巻部分の上であって前記着物の上部分の上からベルトタイプで締める作り帯を備えたものである。
【００１２】
本発明の第４の観点は、スポーツ用ブラジャーの形をした着物用下着であって、伸縮性がある生地で作られた本体と、前記本体に取り付けられた長襦袢の襟の胸元までのものに対応する襟部分とを備え、前記襟部分は、長方形の形状から長辺の一辺側の折り込みをして作られる形をしているものであって、襟首位置に相当する中央位置の幅を狭くして胸元の襟先に相当する両先端に向かって幅を広げる折り込みをして作られる形をしていることを特徴とするものである。なお、胸のホールドの安定性からすれば、本体には、その下端側の外周に沿ってゴム部を形成することが好ましい。
【００１３】
本発明の第５の観点では、第４の観点において、前記襟部分は、襟首側が固定され、襟先側の両端部がクロスして着脱自在であるとともにクロス状態を調整可能なことを特徴とするものである。
【発明の効果】
【００１４】
本発明の第１の観点によれば、着物用下着により例えば海外の方であっても胸のホールドの安定感を感じてもらいつつ着ることが容易で且つ襟抜きも行われ、さらにスカートの形態を利用した下部分と、ジャケットの形態を利用した上部分を着れば、着物を着た形になり、極めて容易に着ることができる。さらに、スポーツ用ブラジャーの形をした着物用下着だけでなく、伸縮自在の腹巻部分があり、お腹部分にも下着を付けたことになり、寒さ対策だけでなく、汗がジャケット側に染み出てしまうことを防ぐこともできることになる。すなわち、スポーツ用ブラジャーの形をした着物用下着と上記腹巻部分とにより、長襦袢の上半身部分の役割を果たしているとも言える。さらに、伸縮自在の腹巻部分が下部分から延びており、スカート部分の丈の調整もできるとともに、スカート部分をお腹部分全体で吊り下げることになり、スカート部分がずり下がってしまうことを防止できる。
【００１５】
本発明の第２の観点によれば、例えば海外の方であっても、胸のホールドの安定感を感じてもらいつつ着ることが容易で、さらに、襟首側の幅が胸元の襟先側の幅に比べて狭いことにより、襟首側が立ち上がり易くなり、襟抜きも綺麗に行えてそれを維持できる。加えて、胸元の襟の状態（重なる位置と角度、緩み（遊び）等）を表現できる。
【００１６】
本発明の第３の観点によれば、第１又は第２の観点の場合に加えて、帯によって腹巻部分と着物の上部分とをベルトのように締めることにより、着物の下部分がずり下がることをより確実に防止するとともに、着物の上部分と下部分の一体性を上手く表現することができる。
【００１７】
本発明の第４の観点によれば、例えば海外の方であっても、胸のホールドの安定感を感じてもらいつつ着ることが容易な着物用下着が得られ、さらに、襟首側の幅が胸元の襟先側の幅に比べて狭いことにより、襟首側が立ち上がり易くなり、襟抜きも綺麗に行えてそれを維持できる着物用下着が得られる。本発明の第５の観点によれば、上記の第３の観点の効果に加えて、胸元の襟の状態（重なる位置と角度、緩み（遊び）等）を表現可能な着物用下着が得られる。
【図面の簡単な説明】
【００１８】
【図１】本発明の実施の形態にかかる着物用下着の身に付け方を説明するための図である。
【図２】本発明の実施の形態にかかる着物の洋服のスカートの形態を利用した下部分と洋服のジャケットの形態を利用した上部分とを説明するための図である。
【図３】本発明の実施の形態にかかる着物の帯について説明するための図である。
【図４】本発明の他の実施の形態にかかる着物用下着を示した図である。
【図５】図４の着物用下着を上方側から見た状態を示した図である。
【図６】図４の着物用下着を身に着けた使用状態を種々の方向から示した図である。
【図７】図４の着物用下着とともに、着物の洋服のスカートの形態を利用した下部分及び洋服のジャケットの形態を利用した上部分も身に着けた使用状態を説明するための図である。
【図８】図７に示した状態に帯を締めた状態を示した図である。
【発明を実施するための形態】
【００１９】
以下に本発明の実施の形態について図面を参照して詳細に説明するが、本発明はこれに限定されるものではない。
【００２０】
図１は本発明の実施の形態にかかる着物用下着の身に付け方を説明するための図である。図１（Ａ）は本発明の実施の形態にかかる着物用下着の本体を身に着けた状態を示した図である。図１（Ｂ）は着物用下着の襟部分をユーザに合わせて整えていく様子を説明するための図である。図１（Ｃ）は図１（Ｂ）に続く状態を説明するための図である。図１（Ｄ）は図１（Ｃ）に続く状態を説明するための図である。図１（Ｅ）は襟部分を整えて着物用下着を身に着け終えた状態を正面方向から見た図である。図１（Ｆ）は図１（Ｅ）に対して背面方向から見た図である。
【００２１】
図１（Ａ）を参照して、着物用下着１は、伸縮性がある生地で作られたスポーツ用ブラジャー（ブラトップ）の形をしている本体３と、長襦袢の襟で胸元までのものに対応する襟部分５とを有する。
【００２２】
本体１の下部側はその周囲に沿ってゴム部３ａが設けられている。また、本体１には、自身から見て左胸側の胸の付近の位置にマジックテープ（登録商標）による面ファスナー部３ｂが設けられている。
【００２３】
次に、襟部分５は、長方形の形状から長辺の一辺側の折り込みをして作られる形をしているものであって、襟首位置に相当する中央位置の幅を狭くして胸元の襟先に相当する両先端に向かって幅を広げる折り込みをして作られる形をしている。さらに、図１（Ｆ）も参照して、襟部分５は、襟首側が縫い付けられて固定されている。このような形にして取り付けることにより、綺麗な襟抜き７が自然と生じるようになっている。また、襟部分５の襟先側の両端部がクロスして着脱自在であるとともにクロス状態を調整可能なっている。この点について、以下にさらに説明する。
【００２４】
図１（Ｂ）も参照して、襟部分５には、自身から見て右肩から延びてくる襟先部分５ａの裏には、面ファスナー部３ｂと重ねられて接着するマジックテープ（登録商標）による面ファスナー部５ｂが設けられている。ここで、本体１の面ファスナー部３ｂも、襟部分５の面ファスナー部５ｂは、それぞれ大きな領域になっている。そのため、襟部分５の自身から見て右肩から延びてくる襟先部分５ａの位置は、ユーザにとってちょうどよい位置になることができるようになっている。図１（Ｃ）も参照して、自身から見て右肩から延びてくる襟先部分５ａの表にも、マジックテープ（登録商標）による面ファスナー部５ｃが設けられている。図１（Ｄ）も参照して、自身から見て左肩から延びてくる襟先部分５ｄの裏にも、面ファスナー部５ｃと重ねられて接着するマジックテープ（登録商標）による面ファスナー部５ｅが設けられている。ここで、面ファスナー部５ｃも、面ファスナー部５ｅも、それぞれ大きな領域になっている。そのため、襟部分５の自身から見て左肩から延びてくる襟先部分５ｄの位置は、ユーザにとってちょうどよい位置になることができるようになっている。
【００２５】
このようにして、本体３を身に着けるとき（脱ぐときも）には襟部分５が邪魔にならず、その後に襟部分５のユーザに合わせた胸元の襟の状態を調整して、胸元の襟の状態を長襦袢の襟を綺麗に着つけた状態にできるようになっている。特に、襟部分５の縫い付けによる固定は襟首側であり、前側が緩い取付の仕方であることから、上記した襟抜き７という着物における綺麗な点を表現できていることに加えて、胸元の襟の緩さ（遊び）という着物におけるもう一つの綺麗な点も表現できるものになっている。
【００２６】
図２は洋服のスカートの形態を利用した着物の下部分と洋服のジャケットの形態を利用した着物の上部分とを説明するための図である。図２（Ａ）は着物の下部分を着た状態を示した図である。図２（Ｂ）は図２（Ａ）の状態に図１で示した着物用下着も身に着けた状態を示した図である。図２（Ｃ）は図２（Ｂ）の状態を背面方向から見た状態を示した図である。図２（Ｄ）は図２（Ｂ）及び図２（Ｃ）の状態から上部分を着た状態を説明するための図である。図２（Ｅ）は図２（Ｄ）の胸元の拡大図である。図２（Ｆ）は図２（Ｄ）の状態から帯下の仮止めベルトを締めた状態を示した図である。
【００２７】
図２（Ａ）を参照して、着物の下部分９は、洋服のスカートの形態を利用しており、図２（Ｂ）も参照して、着物用下着１に向かって延びる伸縮自在の腹巻部分９ａを有する。腹巻部分９ａは、着物用下着１に向かって延びていることからスカート部分である下部分の丈の調整もできるとともに、スカート部分である下部分をお腹部分全体で吊り下げることになり、スカート部分がずり下がってしまうことを防止できている。また、腹巻部分９ａは、お腹部分にも下着を付ける役割があり、寒さ対策だけでなく、汗がジャケット側に染み出てしまうことを防ぐこともできるものとなっている。すなわち、スポーツ用ブラジャーの形をした着物用下着と上記腹巻部分とにより、長襦袢の上半身部分の役割を果たしているとも言えるものとなっている。
【００２８】
次に、図２（Ｄ）及び図２（Ｅ）を参照して、着物の上部分１１は、洋服のジャケットの形態を利用したものであり、着物用下着１と腹巻部分９ａの上に羽織って着る形になっている。そして、着物の上部分１１は、図２（Ｆ）に示すように、身頃の他、襟抜きと胸元の襟の状態も調整されて、帯下の仮止めベルト１３によって、本来の着物と同様な形に近づけられものとなっている。
【００２９】
図３は本発明の実施の形態にかかる着物の帯について説明するための図である。図３（Ａ）はベルトタイプの帯の締めはじめを示した図である。図３（Ｂ）は図３（Ａ）の状態から帯の一方端を背中側から回してきた状態を示した図である。図３（Ｃ）は図３（Ｂ）の状態から帯を締め終えた状態を示した図である。図３（Ｄ）は図３（Ｃ）の状態を広い範囲で見た状態を示した図である。図３（Ｅ）は図３（Ｄ）の状態から帯を半分回転させて前と後ろとを逆にした状態を示した正面から見た図である。図３（Ｆ）は図３（Ｅ）の状態を背面から見た状態を示した図である。
【００３０】
ここでの帯１５は、ベルトタイプをした作り帯である。帯１５の一方端側１５ａの外側にはマジックテープ（登録商標）による面ファスナー部１５ｂ，１５ｃが長手方向に並んで設けられている。帯１５の他方端側１５ｄの内側には、マジックテープ（登録商標）による面ファスナー部１５ｅが設けられている。このように、ユーザのサイズに合わせて面ファスナー部１５ｂ又は面ファスナー部１５ｃと面ファスナー部１５ｅとが接着されることが可能になっており、帯１５の固定がしっかり行われることになっている。
【００３１】
なお、ここで、上記では、面ファスナー部１５ｂ，１５ｃの二つとしたが、大きな一つであってもよい。また、面ファスナー部１５ｅの方も、複数でもよく、大きなものであってもよい。
【００３２】
図３に戻って、図３（Ｄ）の状態から帯を半分回転させて前と後ろとを逆にした状態にすることにより、図３（Ｅ）及び図３（Ｆ）のように、帯１５がちょうど上部分と下部分の境い目を目立たないものとでき、見た目として、着付けで着物を着た状態に極めて近い状態が得られることになっている。
【００３３】
図４は本発明の他の実施の形態にかかる着物用下着を示した図である。図５は図４の着物用下着を上方側から見た状態を示した図である。図６は図４の着物用下着を身に着けた使用状態を種々の方向から示した図である。
【００３４】
図４の着物用下着では、面ファスナー部の位置を変えている。図１の面ファスナー部５ｃを本体３に移動させ、面ファスナー部５ｅの位置も先端側に移動させている。そして、面ファスナー部５ｃと面ファスナー部５ｅとが重ねられて接着できるようになっている。
【００３５】
なお、本体３に移動させた面ファスナー部５ｃと図１の面ファスナー部３ｂとを一体化した大きなものとしてもよい。
【００３６】
また、本体３に面ファスナー部５ｃを移動させるのではなく新たな面ファスナー部を本体３にさらに設け、面ファスナー部５ｅも移動させるのでなく新たな面ファスナー部を設けるようにしてもよい。
【００３７】
ところで、図４では、種々の方向から示すことにより、襟抜きが維持される構造となっていることが詳しく示されている。すなわち、まず本体の襟元側のカーブが襟抜きに適したカーブになっている。そのカーブに沿って襟部分が縫い付けられることで、後ろに引かれたような状態になっている。加えて、襟部分の形が、長方形の形状から長辺の一辺側の折り込みをして作られる形をしているものであって、襟首位置に相当する中央位置の幅を狭くして胸元の襟先に相当する両先端に向かって幅を広げる折り込みをして作られる形をしていることから、襟部が胸側で抑えられると、後ろの襟が立ち上がる状態になり、襟抜きが維持され易くなっている。
【００３８】
図７は図４の着物用下着とともに、着物の洋服のスカートの形態を利用した下部分及び洋服のジャケットの形態を利用した上部分も身に着けた使用状態を説明するための図である。図７では、説明の便宜上、着物用下着と腹巻部分との違いを明確にするために着物用下着と腹巻部分の色を異なるものにしたが、同じ色（例えば黒）で統一させてもよい。なお、図７（Ａ）及び図７（Ｂ）では、腹巻部分の幅（長さ）を変化させることができることも示している。
【００３９】
図８は図７に示した状態に帯を締めた状態を示した図である。図８では、図３とは異なる形の帯を示している。
【符号の説明】
【００４０】
１・・・着物用下着、３・・・本体、５・・・襟部分、９・・・着物の下部分、１１・・・着物の上部分、１５・・・帯
【図１】
2018193652.tif 000003
【図２】
2018193652.tif 000004
【図３】
2018193652.tif 000005
【図４】
2018193652.tif 000006
【図５】
2018193652.tif 000007
【図６】
2018193652.tif 000008
【図７】
2018193652.tif 000009
【図８】
2018193652.tif 000010